(57)【要約】      （修正有）【課題】作業機を操縦するリモコン装置の置き忘れを予防することのできる腰袋を提供する。【解決手段】作業者の操作によって作業機を操縦するリモコン装置が収納される収納部２０、及び収納部２０を作業者の腰部に装着させるベルトループ５０、５０を備える。これにより、作業者の身体に装着される腰袋１０の収納部２０にリモコン装置が収納されることから、作業者が、作業現場の任意の場所にリモコン装置を放置したままの状態で作業現場を離れることがなく、リモコン装置を置き忘れることが防止される。【選択図】図１
0003196448.tif 000002
【実用新案登録請求の範囲】
【請求項１】
作業者の操作によって作業機を操縦するリモコン装置が収納される収納部と、
該収納部を前記作業者の腰部に装着させる取付部と、
を備えることを特徴とする腰袋。
【請求項２】
前記収納部は、
上部が開口した開口部を有する有底であって、
前記開口部の開口端縁から凹状に形成された凹部を備え、
前記開口部及び前記凹部を介して前記リモコン装置が前記収納部に収納されることを特徴とする請求項１に記載の腰袋。
【請求項３】
前記開口部を開閉する蓋が前記収納部に設けられ、
前記開口部が開蓋されている際に前記蓋が折り返された状態で前記収納部に係着される係着部が設けられたことを特徴とする請求項１または２に記載の腰袋。
【考案の詳細な説明】
【技術分野】
【０００１】
本考案は、腰袋、特に、作業機を操縦するリモコン装置が収納される腰袋に関する。
【背景技術】
【０００２】
建設現場や土木現場といった作業現場における作業に用いられる作業車両には、例えば、重量物の搬送を行うクレーン等の作業機が搭載されているものがある。このような作業機には、作業機を操縦するコントロールパネルが、作業車両の運転を行う運転室内に設けられているものがある（例えば、特許文献１を参照）。
【０００３】
一方、作業機には、持ち運びが可能であって無線通信方式が採用されたリモコン装置の操作によって操縦されるものも存在している（例えば、特許文献２を参照）。このようなリモコン装置の操作によって操縦される作業機では、リモコン装置を操作する作業者が作業車両の外で作業機を目視しながら操縦することができる。
【０００４】
したがって、リモコン装置によって操縦される作業機では、作業者が作業機の動作を目視して安全性を確認しながらリモコン装置の操作がなされることから、リモコン装置の誤操作による作業機の誤操縦により事故が発生する可能性を低減させることができる。
【先行技術文献】
【特許文献】
【０００５】
【特許文献１】特開２０１３−２５６３５６公報
【特許文献２】実開平６−６１８９９公報
【考案の概要】
【考案が解決しようとする課題】
【０００６】
ところで、このような作業機のリモコン装置は、例えば作業者が作業物を手で運搬する等、手を使った作業を行う場合には、作業者の手から離れて作業現場の任意の場所に一時的に放置されることがある。
【０００７】
このように、作業者が、作業現場の任意の場所にリモコン装置を放置したままの状態で作業現場を離れてしまい、リモコン装置を置き忘れてしまうことがある。リモコン装置を作業現場に置き忘れると、リモコン送信機が破損してしまったり、リモコン装置を放置した場所を失念することにより紛失したりする事態が生じる可能性がある。
【０００８】
リモコン装置を破損したり紛失したりしてしまった場合は、新たなリモコン装置を入手するまでは、紛失したリモコン装置に対応して操縦される作業機を作動させることができないことから、多大な時間的制約を被ることとなる。しかも、この種の作業機のリモコン装置は比較的高価であって、経済的損失の影響も大きくなることが懸念される。
【０００９】
本考案は、上記事情に鑑みてなされたものであり、作業機を操縦するリモコン装置の置き忘れを予防することのできる腰袋を提供することを課題とするものである。
【課題を解決するための手段】
【００１０】
上記課題を解決するための請求項１に記載の考案による腰袋は、作業者の操作によって作業機を操縦するリモコン装置が収納される収納部と、該収納部を前記作業者の腰部に装着させる取付部と、を備えることを特徴とする。
【００１１】
この構成によれば、腰袋は、リモコン装置が収納される収納部を備え、この収納部が取付部によって作業者の腰部に装着される。作業者の身体に装着されるこの腰袋の収納部にリモコン装置を収納することによって、作業者が、作業現場の任意の場所にリモコン装置を放置したままの状態で作業現場を離れることが抑制され、リモコン装置を置き忘れることが抑制される。
【００１２】
請求項２に記載の考案による腰袋は、請求項１に記載の腰袋において、前記収納部は、上部が開口した開口部を有する有底であって、前記開口部の開口端縁から凹状に形成された凹部を備え、前記開口部及び前記凹部を介して前記リモコン装置が前記収納部に収納されることを特徴とする。
【００１３】
この構成によれば、収納部は、開口部の開口端縁が凹状に形成された凹部を有して開口部の間口が拡げられていることから、収納部にリモコン装置を収納する際に、開口部の開口端縁にリモコン装置が引っかかることがなく、リモコン装置を収納部にスムーズに収納することができる。
【００１４】
請求項３に記載の考案による腰袋は、請求項１または２に記載の腰袋において、前記開口部を開閉する蓋が前記収納部に設けられ、前記開口部が開蓋されている際に前記蓋が折り返された状態で前記収納部に係着される係着部が設けられたことを特徴とする。
【００１５】
この構成によれば、開口部を開閉する蓋が収納部に設けられており、この蓋が開けられている状態においては、蓋が折り返された状態で収納部に係着される係着部を有することから、蓋が開けられている場合は蓋を収納部に固定することが可能となる。したがって、リモコン装置の収納部への収納が蓋によって阻害されることを防止することができる。
【考案の効果】
【００１６】
この考案によると、作業者が、作業現場の任意の場所にリモコン装置を放置したままの状態で作業現場を離れることが抑制され、リモコン装置を置き忘れることが抑制される。
【図面の簡単な説明】
【００１７】
【図１】本発明の実施の形態に係る腰袋の概略を説明する側面斜視図である。
【図２】同じく、本実施の形態に係る腰袋の概略を説明する正面図である。
【図３】同じく、本実施の形態に係る腰袋の概略を説明する、図１のＡ矢視図である。
【図４】同じく、本実施の形態に係る腰袋の概略を説明する、図１のＢ矢視図である。
【図５】同じく、本実施の形態に係る腰袋に作業機のリモコ装置が収納された状態の概略を説明する斜視図である。
【図６】同じく、本実施の形態に係る腰袋の蓋が閉じられた状態の概略を説明する側面図である。
【図７】同じく、本実施の形態に係る腰袋の蓋が閉じられた状態の概略を説明する側面図である。
【図８】同じく、本実施の形態に係る腰袋の蓋が閉じられた状態の概略を説明する底面図である。
【考案を実施するための形態】
【００１８】
次に、図１〜図８を参照して、本考案の実施の形態について説明する。なお、本実施の形態において、作業者によるリモコン装置の操作により操縦される作業機が、作業車両に搭載されたクレーンである場合を例として説明する。
【００１９】
本実施の形態に係る腰袋の説明に先立って、腰袋に収納されるリモコン装置の概略を、図５を参照して説明する。
【００２０】
図示のように、リモコン装置１００は、クレーンを操縦するために操作される複数のスイッチ１０２ａが配備された操作部１０２、及び操作部１０２に設けられて作業者によって把持される把持部１０４を主要構成として備える。
【００２１】
作業者は、把持部１０４を把持した状態で、クレーンの動作を目視して安全性を確認しながら、操作部１０２に配備されたコントローラ１０２ａを操作してクレーンを操縦する。
【００２２】
腰袋１０は、このようなリモコン装置１００を収納するものであり、本実施の形態では、例えばバリスティックナイロン等の合成繊維で形成される。
【００２３】
図１は、本発明の実施の形態に係る腰袋の概略を説明する側面斜視図であり、図２は、本実施の形態に係る腰袋の概略を説明する正面図であり、図３は、図１のＡ矢視図であり、図４は、図１のＢ矢視図である。
【００２４】
図示のように、腰袋１０は、開口部２４を介してリモコン装置１００が収納される収納部２０、この収納部２０に設けられた蓋３０、蓋３０を収納部２０に係着させる係着部４０、及び収納部２０を作業者の腰部に装着させる取付部である一対のベルトループ５０、５０を主要構成として備える。
【００２５】
収納部２０は、本実施の形態では、背板部２１、背板部２１と連続して形成された底面部２２、及び底面部２２と背板部２１とに亘って設けられる周面部２３を備えた有底の筒状に形成される。
【００２６】
背板部２１は、本実施の形態では、表面２１ａ及び裏面２１ｂを有する正面視略矩形の平板状に形成されている。この背板部２１の下部は、図１及び図４の矢線Ｘで示す方向に折曲されて背板部２１と連続する底面部２２として構成されている。
【００２７】
底面部２２には、本実施の形態では通孔２２ａが形成されており、この通孔２２ａから、雨水等が排出される。
【００２８】
周面部２３は、端縁２３ａ及び端縁２３ａと連続する上端縁２３ｂを有する平面状であって、この周面部２３がその端縁２３ａにおいて、背板部２１から底面部２２に亘って縫合されることによって、収納部２０が筒状に形成される。
【００２９】
収納部２０には、収納部２０における周面部２３の上端縁２３ｂに沿って、収納部２０の上部が開口した開口部２４が形成され、周面部２３の上端縁２３ｂが開口部２４の開口端縁２４ａを構成する。
【００３０】
さらに収納部２０は、開口部２４の開口端縁２４ａの一部が凹状に形成された凹部２５を有し、この凹部２５によって、開口部２４の間口が拡げられている。この凹部２５は、本実施の形態では、作業者が腰袋１０を右側の腰骨に装着する場合において、作業者の前方に向かって位置決めされるように形成されている。
【００３１】
次に、腰袋１０における収納部２０以外の各部の構成について説明する。
【００３２】
蓋３０は、本実施の形態では、基端３０ａ及び先端３０ｂを有して長尺に形成される。この蓋３０は、基端３０ａにおいて、収納部２０の周面部２３に縫合されて取り付けられて開口部２４を開閉し、開口部２４の開放状態で外部に露出する内側面３０Ａ、及び開口部２４の閉鎖状態で外部に露出する外側面３０Ｂを備える。
【００３３】
係着部４０は、本実施の形態では面ファスナで構成されており、収納部２０の周面部２３における凹部２５の下方に設けられた第１雌部材４１ａ、蓋３０の先端３０ｂにおける内側面３０Ａに設けられた第１雄部材４１ｂ、収納部２０の底面部２２に設けられた第２雌部材４２ａ、及び蓋３０の先端３０ｂにおける外側面３０Ｂに設けられた第２雄部材４２ｂによって構成されている。
【００３４】
蓋３０によって開口部２４が閉じられている状態において、第１雌部材４１ａに第１雄部材４１ｂを接合させれば、蓋３０は収納部２０に係着される。一方、開口部２４を開ける側に蓋３０を折り返して開口部２４が開けられている状態において、第２雌部材４２ａに第２雄部材４２ｂを接合させれば、蓋３０は収納部２０に係着される。
【００３５】
ベルトループ５０、５０は、背板部２１の裏面２１ｂの上部において、矢線Ｗで示す作業者の腰回り方向に連設されたリング状に形成されており、作業者の腰回りに沿って作業者の腰部に装着されるベルトがリング状のベルトループ５０、５０に挿通されて、腰袋１０の収納部２０が作業者の腰部に装着される。
【００３６】
次に、本実施の形態に係る腰袋の使用方法について説明する。
【００３７】
まず、作業者が腰袋１０を装着する場合は、作業者の作業ズボン等のベルトループにベルトを挿通しつつ、腰袋１０のベルトループ５０、５０にもベルトを挿通して、ベルトで腰部を締める。これにより、作業者の腰部に腰袋１０が装着される。
【００３８】
このように、作業者の腰部に腰袋１０が装着された状態でリモコン装置１００を腰袋１０の収納部２０に収納する場合は、図１〜図４で示したように、開口部２４を開ける側に蓋３０を折り返して開口部２４が開けられた状態としておき、蓋３０の外側面３０Ｂを収納部２０の周面部２２に沿わせる。
【００３９】
このとき、蓋３０の外側面３０Ｂに設けられた第２雄部材４２ｂを底面部２２に設けられた第２雌部材４２ａに接合させる。この状態で、図５で示すように、リモコン装置１００をその操作部１０２から収納部２０内に進入させて、収納部２０内にリモコン装置１００を収納させる。
【００４０】
このとき、蓋３０は、上記のように収納部２０に係着されていることから、リモコン装置１００の収納部２０への収納が蓋３０によって阻害されることがない。
【００４１】
さらに、収納部２０には凹部２５が設けられて開口部２４の間口が拡げられていることから、収納部２０にリモコン送信機１００を収納する際には、開口部２４の開口端縁２４ａにリモコン装置１００が引っかかることがなく、リモコン装置１００を収納部２０にスムーズに収納することができる。
【００４２】
次に、リモコン装置１００を腰袋１０の収納部２０から取り出す場合は、作業者がリモコン装置１００の把持部１０４を把持して、開口部２４及び凹部２５を介してリモコン装置１００を収納部２０から取り出す。
【００４３】
このとき、開口部２４の間口は、凹部２５によって拡げられていることから、収納部２０からリモコン装置１００を取り出す際には、開口部２４の開口端縁２４ａにリモコン装置１００が引っかかることがなく、リモコン装置１００を収納部２０からスムーズに取り出すことができる。
【００４４】
一方、収納部２０にリモコン装置１００が収納されていない場合において、例えば作業時に降雨があるような場合は、図６〜図８において示すように、収納部２０内に雨水が進入することを防止すべく、蓋３０で開口部２４を閉じて、蓋３０の内側面３０Ａに設けられた第１雄部材４１ｂを、周面部２２における凹部２５の下方に設けられた第１雌部材４１ａに接合させる。
【００４５】
開口部２４が蓋３０で閉じられている状態で、強い風雨によって仮に収納部２０内に雨水が進入したとしても、底面部２２には通孔２２ａが形成されていることから、通孔２２ａから雨水等が排出される。したがって、屋外作業時において腰袋１０を腰部に提げて作業を行っている際の降雨によっても、雨水等が収納部２２内に貯留することがない。
【００４６】
このように、本実施の形態の腰袋１０によれば、リモコン装置１００が収納される収納部２０を備え、この収納部２０がベルトループ５０、５０によって作業者の腰部に装着される。
【００４７】
したがって、作業者の身体に装着される腰袋１０の収納部にリモコン装置１００を収納することによって、作業者が、作業現場の任意の場所にリモコン装置１００を放置したままの状態で作業現場を離れることが抑制され、リモコン装置１００を置き忘れることが抑制される。
【００４８】
収納部２０は、開口部２４の開口端縁２４ａの一部が凹状に形成された凹部２５を有することから、収納部２０にリモコン装置１００を収納する際に、開口部２４の開口端縁２４ａにリモコン装置１００が引っかかることがなく、リモコン装置１００を収納部２０にスムーズに収納することができる。
【００４９】
さらに、リモコン装置１００を収納部２０に収納する場合は、蓋３０を開けて開口部２４を開放させた状態としておき、蓋３０の外側面３０Ｂを収納部２０の周面部２２に沿わせて、蓋３０の外側面３０Ｂに設けられた雄部材４２ｂを底面部２２に設けられた雌部材４２ａに接合させる。
【００５０】
このように、収納部２０にリモコン装置１００を収納する際には、蓋３０は収納部２０に係着させることが可能なことから、リモコン装置１００の収納部２０への収納が蓋３０によって阻害されることを防止することができる。
【００５１】
なお、本考案は上記実施の形態に限定されることはなく、考案の趣旨を逸脱しない範囲で種々変更可能である。上記実施の形態では、作業者が腰袋１０を右側の腰骨の近傍に装着する場合において、収納部２０の凹部２５が作業者の前方に向かって位置決めされるように形成されている場合を説明したが、例えば、作業者が腰袋１０を左側の腰骨の近傍に装着する場合において、収納部２０の凹部２５が作業者の前方に向かって位置決めされるように形成されていてもよい。
【符号の説明】
【００５２】
１０    腰袋
２０    収納部
２１    背板部
２２    底面部
２３    周面部
２４    開口部
２４ａ    開口端縁
２５    凹部
３０    蓋
３０Ａ    内側面
３０Ｂ    外側面
４０    係着部
４１ａ    第１雌部材
４１ｂ    第１雄部材
４２ａ    第２雌部材
４２ｂ    第２雄部材
５０    ベルトループ（取付部）
１００    リモコン装置
【図１】
0003196448.tif 000003
【図２】
0003196448.tif 000004
【図３】
0003196448.tif 000005
【図４】
0003196448.tif 000006
【図５】
0003196448.tif 000007
【図６】
0003196448.tif 000008
【図７】
0003196448.tif 000009
【図８】
0003196448.tif 000010
【手続補正書】
【提出日】平成27年1月6日(2015.1.6)
【手続補正１】
【補正対象書類名】実用新案登録請求の範囲
【補正対象項目名】全文
【補正方法】変更
【補正の内容】
【実用新案登録請求の範囲】
【請求項１】
作業者の操作によって作業機を操縦するリモコン装置が収納される収納部と、
該収納部を前記作業者の腰部に装着させる取付部と、
を備えることを特徴とする腰袋。
【請求項２】
前記収納部は、
上部が開口した開口部を有する有底であって、
前記開口部の開口端縁から凹状に形成された凹部を備え、
前記開口部及び前記凹部を介して前記リモコン装置が前記収納部に収納されることを特徴とする請求項１に記載の腰袋。
【請求項３】
前記開口部を開閉する蓋が前記収納部に設けられ、
前記開口部が開蓋されている際に前記蓋が折り返された状態で前記収納部に係着される係着部が設けられたことを特徴とする請求項２に記載の腰袋。
【手続補正２】
【補正対象書類名】明細書
【補正対象項目名】００１４
【補正方法】変更
【補正の内容】
【００１４】
請求項３に記載の考案による腰袋は、請求項２に記載の腰袋において、前記開口部を開閉する蓋が前記収納部に設けられ、前記開口部が開蓋されている際に前記蓋が折り返された状態で前記収納部に係着される係着部が設けられたことを特徴とする。